(57)【要約】【課題】本発明の目的は、従前の方法と比べて、製造されるコンタクトレンズの厚みを制御し、かつ、脱色や退色を低減でき、さらにこのようなコンタクトレンズを安定的に製造することができる着色部分を有するコンタクトレンズを製造する方法及びそのための治具を提供することにある。【解決手段】上記目的は、雄部及び雌部からなる虹彩部着色用治具であって、前記雄部及び前記雌部はそれぞれコンタクトレンズを挟み込むための凸部及び凹部を備え、前記凸部及び前記凹部の少なくとも一方に虹彩部着色用孔を備え、及び前記虹彩部着色用孔は少なくとも１以上の着色剤流入孔を備える前記治具及びこの治具を用いた着色虹彩部を有するコンタクトレンズを製造する方法により解決される。【選択図】図４Ｂ
2015049304.tif 000002
【特許請求の範囲】
【請求項１】
雄部及び雌部からなる虹彩部着色用治具であって、
前記雄部及び前記雌部はそれぞれコンタクトレンズを挟み込むための凸部及び凹部を備え、
前記凸部及び前記凹部の少なくとも一方に虹彩部着色用孔を備え、及び
前記虹彩部着色用孔は少なくとも１以上の着色剤流入孔を備える、前記治具。
【請求項２】
前記虹彩部着色用治具が、さらに前記虹彩部着色用孔に瞳孔部非着色用具挿入孔を備える請求項１に記載の治具。
【請求項３】
雄部及び雌部からなる瞳孔部着色用治具であって、
前記雄部及び前記雌部はそれぞれコンタクトレンズを挟み込むための凸部及び凹部を備え、及び
前記凸部及び前記凹部の少なくとも一方に着色剤流入孔を備える、前記治具。
【請求項４】
着色虹彩部を有するコンタクトレンズを製造する方法であって、
請求項１に記載の虹彩部着色用治具に載置したコンタクトレンズと着色剤とを接触させて虹彩部着色後コンタクトレンズを得る工程、及び
前記虹彩部着色後コンタクトレンズと固着剤とを接触させて着色虹彩部を有するコンタクトレンズを得る工程
を含む、前記方法。
【請求項５】
着色瞳孔部を有するコンタクトレンズを製造する方法であって、
請求項３に記載の瞳孔部着色用治具に載置したコンタクトレンズと着色剤とを接触させて瞳孔部着色後コンタクトレンズを得る工程、及び
前記瞳孔部着色後コンタクトレンズと固着剤とを接触させて着色瞳孔部を有するコンタクトレンズを得る工程
を含む、前記方法。
【請求項６】
着色虹彩部及び着色瞳孔部を有するコンタクトレンズを製造する方法であって、
請求項４に記載の方法により得た着色虹彩部を有するコンタクトレンズを、請求項５に記載の方法に供することにより着色虹彩部及び着色瞳孔部を有するコンタクトレンズを得る工程；又は
請求項５に記載の方法により得た着色瞳孔部を有するコンタクトレンズを、請求項４に記載の方法に供することにより着色虹彩部及び着色瞳孔部を有するコンタクトレンズを得る工程
を含む、前記方法。
【請求項７】
請求項４〜６のいずれか１項に記載の方法により得られる、着色虹彩部及び／又は着色瞳孔部を有するコンタクトレンズ。
【発明の詳細な説明】
【技術分野】
【０００１】
本発明は、着色コンタクトレンズの製造方法及びそのための治具に関する。詳しくは、着色虹彩部及び／又は着色瞳孔部を有するコンタクトレンズの製造方法及びそのための治具に関する。
【背景技術】
【０００２】
眼疾患の一つに虹彩（眼の瞳孔周辺の茶色部分）が全体的に欠損した無虹彩症、部分的に欠損した虹彩欠損症、虹彩変形症、虹彩異色症などの虹彩異常がある。これらの虹彩異常は羞明の症状を伴うが、現在までに有効な治療法はない。そこで、羞明症状を軽減させることを目的として、虹彩部が茶色や黒などに着色されたコンタクトレンズが使用されている。また、本来透明な角膜が様々な要因により混濁した角膜混濁を発症した場合においても、整容のために虹彩部が着色されたコンタクトレンズが使用されている。
【０００３】
昨今は、装用時における美的外観の向上を目的として、部分的に色彩や模様が施された着色部分を有するコンタクトレンズの使用が増加している。これらの着色部分を有するコンタクトレンズを製造する方法として、特許文献１〜３に記載されている製造方法がある。これらの製造方法は、一方のコンタクトレンズ基材と他方のコンタクトレンズ基材との間に着色剤成分を挟み込んだ着色コンタクトレンズや一方のコンタクトレンズ基材のパッド印刷した表面を他方のコンタクトレンズ基材で覆ってなる着色コンタクトレンズを製造する方法である。
【先行技術文献】
【特許文献】
【０００４】
【特許文献１】特表２００５−５１４６３８号公報
【特許文献２】特表２００８−５１５０１３号公報
【特許文献３】特開２０１３−０９７３８４号公報
【発明の概要】
【発明が解決しようとする課題】
【０００５】
特許文献１〜３に記載の製造方法によれば、主としてコンタクトレンズ内部に着色部分を有するコンタクトレンズが得られる。しかし、これらのコンタクトレンズは、基本的にサンドイッチ構造をとるために、コンタクトレンズの厚みが大きくなるという問題がある。また、これらのコンタクトレンズを擦り洗いする際に、着色剤成分やパッド印刷部分において割れや剥がれが生じるという問題がある。さらに、個別にサンドイッチ構造をとるように製造しなければならないことから左右眼の色味のバランス制御が難しいという問題がある。
【０００６】
以上のとおり、特許文献１〜３に記載の製造方法は、製造されるコンタクトレンズの厚みが大きく、かつ、脱色や退色の蓋然性がある方法であり、さらに左右眼の色味のバランス制御が難しく、眼疾患治療用或いは整容用の着色コンタクトレンズの製造に不向きな方法である。
【０００７】
そこで、本発明は、特許文献１〜３に記載の製造方法のような従前の方法と比べて、製造されるコンタクトレンズの厚みを制御し、かつ、脱色や退色を低減でき、さらにこのようなコンタクトレンズを安定的に製造することができる着色部分を有するコンタクトレンズを製造する方法及びそのための治具を提供することを、本発明が解決しようとする課題とした。
【課題を解決するための手段】
【０００８】
本発明者らは、上記課題を解決するために鋭意検討した結果、コンタクトレンズの着色作業を効率的に実施するための治具を創作し、さらにこの治具を用いた製造方法によれば、コンタクトレンズ基材に着色剤を安定的に固着させることができることから、製造されるコンタクトレンズの厚みを制御し、かつ、脱色や退色を低減でき、さらにこのようなコンタクトレンズを安定的に製造することができることを見出した。本発明はこのような知見に基づいて完成された発明である。
【０００９】
したがって、本発明によれば、雄部及び雌部からなる虹彩部着色用治具であって、前記雄部及び前記雌部はそれぞれコンタクトレンズを挟み込むための凸部及び凹部を備え、前記凸部及び前記凹部の少なくとも一方に虹彩部着色用孔を備え、及び前記虹彩部着色用孔は少なくとも１以上の着色剤流入孔を備える前記治具が提供される。
【００１０】
好ましくは、前記虹彩部着色用治具が、さらに前記虹彩部着色用孔に瞳孔部非着色用具挿入孔を備える。
【００１１】
本発明の別の側面によれば、雄部及び雌部からなる瞳孔部着色用治具であって、前記雄部及び前記雌部はそれぞれコンタクトレンズを挟み込むための凸部及び凹部を備え、及び前記凸部及び前記凹部の少なくとも一方に着色剤流入孔を備える前記治具が提供される。
【００１２】
本発明の別の側面によれば、着色虹彩部を有するコンタクトレンズを製造する方法であって、本発明の虹彩部着色用治具に載置したコンタクトレンズと着色剤とを接触させて虹彩部着色後コンタクトレンズを得る工程、及び前記虹彩部着色後コンタクトレンズと固着剤とを接触させて着色虹彩部を有するコンタクトレンズを得る工程を含む、前記方法が提供される。
【００１３】
本発明の別の側面によれば、着色瞳孔部を有するコンタクトレンズを製造する方法であって、本発明の瞳孔部着色用治具に載置したコンタクトレンズと着色剤とを接触させて瞳孔部着色後コンタクトレンズを得る工程、及び前記瞳孔部着色後コンタクトレンズと固着剤とを接触させて着色瞳孔部を有するコンタクトレンズを得る工程を含む、前記方法が提供される。
【００１４】
本発明の別の側面によれば、着色虹彩部及び着色瞳孔部を有するコンタクトレンズを製造する方法であって、本発明の着色虹彩部を有するコンタクトレンズを製造する方法により得た着色虹彩部を有するコンタクトレンズを、本発明の着色瞳孔部を有するコンタクトレンズを製造する方法に供することにより着色虹彩部及び着色瞳孔部を有するコンタクトレンズを得る工程；又は本発明の着色瞳孔部を有するコンタクトレンズを製造する方法により得た着色瞳孔部を有するコンタクトレンズを、本発明の着色虹彩部を有するコンタクトレンズを製造する方法に供することにより着色虹彩部及び着色瞳孔部を有するコンタクトレンズを得る工程を含む、前記方法が提供される。
【００１５】
本発明の別の側面によれば、本発明の方法により得られる、着色虹彩部及び／又は着色瞳孔部を有するコンタクトレンズが提供される。
【発明の効果】
【００１６】
本発明の治具及び製造方法によれば、厚みを制御し、かつ、脱色や退色を低減した、虹彩部、瞳孔部又はその両方が着色されたコンタクトレンズを安定的に製造することができる。また、本発明の治具及び製造方法によれば、虹彩部、瞳孔部又はその両方に対し多様な着色が可能であるこから、装用者の個別の要望に対応した、眼疾患治療用或いは整容用の着色部を有するコンタクトレンズを提供できる。
【００１７】
また、本発明の製造方法によれば、着色工程後に染料の固着工程を行うことから、コンタクトレンズ表面及び内部に染料が封止され、長期間に渡る使用においても染料の溶出により発生する退色を抑止することが可能である。
【図面の簡単な説明】
【００１８】
【図１Ａ】本発明の虹彩部着色用治具の一態様のコンタクトレンズ接触面側の平面図である。
【図１Ｂ】本発明の虹彩部着色用治具の一態様のコンタクトレンズ接触面側の平面図である。
【図１Ｃ】本発明の虹彩部着色用治具の一態様のコンタクトレンズ接触面側の平面図である。
【図２Ａ】本発明の虹彩部着色用治具の一態様のコンタクトレンズ接触面の裏側の平面図である。
【図２Ｂ】本発明の虹彩部着色用治具の一態様のコンタクトレンズ接触面の裏側の平面図である。
【図２Ｃ】本発明の虹彩部着色用治具の一態様のコンタクトレンズ接触面の裏側の平面図である。
【図３Ａ】本発明の虹彩部着色用治具の一態様の断面図である。
【図３Ｂ】瞳孔部非着色用具を挿入した本発明の虹彩部着色用治具の一態様の断面図である。
【図４Ａ】本発明の虹彩部着色用治具の一態様の斜視図である。
【図４Ｂ】瞳孔部非着色用具を挿入した本発明の虹彩部着色用治具の一態様の斜視透明図である。
【図５】本発明の瞳孔部着色用治具の一態様のコンタクトレンズ接触面側の平面図である。
【図６】本発明の瞳孔部着色用治具の一態様のコンタクトレンズ接触面の裏側の平面図である。
【図７】本発明の瞳孔部着色用治具の一態様の断面図である。
【図８】本発明の瞳孔部着色用治具の一態様の斜視図である。
【図９】全体的に着色されたコンタクトレンズの一態様の平面図である。
【図１０】本発明の着色虹彩部を有するコンタクトレンズを製造する方法により得られる、着色虹彩部を有するコンタクトレンズの一態様の平面図である。
【図１１】本発明の着色虹彩部を有するコンタクトレンズを製造する方法により得られる、着色虹彩部を有し、かつ、非着色瞳孔部を有するコンタクトレンズの一態様の平面図である。
【図１２Ａ】本発明の着色瞳孔部を有するコンタクトレンズを製造する方法により得られる、着色瞳孔部を有するコンタクトレンズの一態様の平面図である。
【図１２Ｂ】本発明の着色瞳孔部を有するコンタクトレンズを製造する方法により得られる、着色瞳孔部を有するコンタクトレンズの一態様の平面図である。
【図１３】本発明の着色虹彩部及び着色瞳孔部を有するコンタクトレンズを製造する方法により得られる、着色虹彩部及び着色瞳孔部を有するコンタクトレンズの一態様の平面図である。
【発明を実施するための形態】
【００１９】
以下、本発明の治具及び製造方法の実施の形態を、適宜図面を参照して詳細に説明する。
【００２０】
［１．虹彩部着色用治具］
本発明の虹彩部着色用治具は、雄部及び雌部からなる。本発明の虹彩部着色用治具において、雄部及び雌部はそれぞれコンタクトレンズを挟み込むための凸部及び凹部を備える。また、雄部の凸部、雌部の凹部又はその両方は虹彩部着色用孔を備える。さらに、虹彩部着色用孔は１個又は複数個の着色剤流入孔を備える。
【００２１】
本発明の虹彩部着色用治具の具体的な一態様について、図１〜４を参照して説明する。図１〜４はそれぞれ本発明の虹彩部着色用治具の一態様のコンタクトレンズ接触面側の平面図、コンタクトレンズ接触面の裏側から見た平面図、断面図及び斜視図である。雄部１及び雌部２は組合せて使用する。雄部１は凸部６を備え、雌部２は凹部１４を備える。図４に示すとおり、雄部１の凸部６及び雌部２の凹部１４の間にコンタクトレンズを載置して、雄部１及び雌部２を嵌め合わせる。
【００２２】
図１Ａ及び２Ａに示す雄部１及び雌部２はそれぞれ虹彩部着色用孔５及び１３を備える。ただし、図１Ｂ及び２Ｂ並びに図１Ｃ及び２Ｃが示すとおり、本発明において、虹彩部着色用孔は雄部及び雌部のいずれか一方に備えられていればよい。また、虹彩部着色用孔５及び１３はそれぞれ４個の着色剤流入孔９及び１６を備える。ただし、本発明において、虹彩部着色用孔には着色剤流入孔が１個以上あればよく、複数個あることが好ましく、２〜９個あることがより好ましく、２〜４個あることがさらに好ましい。以下では、図１Ａ及び２Ａの態様を参照して、本発明の虹彩部着色用治具を説明する。
【００２３】
着色剤流入孔９及び１６はそれぞれ雄部１及び雌部２のコンタクトレンズ接触面の裏側（図２Ａに表わされている面側）からコンタクトレンズ接触面側（図１Ａに表わされている面側）にかけて貫通している。したがって、雄部１の凸部６及び雌部２の凹部１４の間にコンタクトレンズ２０を載置して雄部１及び雌部２を嵌め合わせた状態の虹彩部着色用治具を、例えば、着色剤に浸漬させることにより、雄部１及び雌部２のコンタクトレンズ接触面の裏側から着色剤流入孔９及び１６を通って虹彩部着色用孔５及び１３に着色剤が流入し、着色剤とコンタクトレンズ２０とが接触する。また、虹彩部着色用治具を着色剤に浸漬させることの他に、着色剤流入孔９及び１６に着色剤を注入することによっても、着色剤とコンタクトレンズ２０とを接触させることができる。
【００２４】
雄部１及び雌部２を嵌め合わせる場合、雄部１のフランジ部１０及び雌部２のフランジ部１７が接着する。この際、フランジ部１０及びフランジ部１７の間を密着させるために、パッキンなどのシール材を利用することが好ましい。雄部１及び雌部２を嵌め合わせた状態の虹彩部着色用治具は、嵌合が解けないようにするために、例えば、雄部１及び雌部２のピンチコック固定部１２及び１９を１個又は複数個のピンチコックなどの挟持用具を用いて挟持することが好ましい。
【００２５】
図１Ａに示す雄部１及び雌部２には瞳孔部非着色用具挿入孔８及び１５を備えているが、仮に雄部１及び雌部２が瞳孔部非着色用具挿入孔８及び１５を備えていない場合、雄部１の凸部６及び雌部２の凹部１４の間にコンタクトレンズ２０を載置して雄部１及び雌部２を嵌め合わせた状態の虹彩部着色用治具を着色剤に浸漬し、次いで取り出した着色処理後のコンタクトレンズと固着剤とを接触させて得られるコンタクトレンズは、例えば、図１０に示すとおり、虹彩部着色用孔５及び１３の孔径の着色虹彩部３６及び非着色周辺部３７を有するコンタクトレンズである。
【００２６】
本発明の虹彩部着色用治具における雄部１及び雌部２は、図１Ａに示すとおりに、虹彩部着色用孔５及び１３内に瞳孔部非着色用具挿入孔８及び１５を備えることが好ましい。また、図１Ｂ及び１Ｃが示すとおり、瞳孔部非着色用具挿入孔は、虹彩部着色用孔内に備えられるので、雄部又は雌部のいずれか一方にのみ設けられる場合がある。
【００２７】
瞳孔部非着色用具挿入孔８及び１５は、雄部１及び雌部２のそれぞれのコンタクトレンズ接触面の裏側に設けられた瞳孔部非着色用具止めピン挿入部１１及び１８を通じて貫通している。瞳孔部非着色用具止めピン挿入部１１及び１８のそれぞれに瞳孔部非着色用具止めピン２２及び２４を挿入し、次いで瞳孔部非着色用具挿入孔８及び１５に瞳孔部非着色用具２１及び２３を各々挿入した態様の本発明の虹彩部着色用治具を表わしたのが図３Ｂ及び４Ｂである。一方、瞳孔部非着色用具及び瞳孔部非着色用具止めピンを挿入していない態様の本発明の虹彩部着色用治具を表わしたのが図３Ａ及び４Ａである。図３Ａ及び４Ａの態様では、コンタクトレンズの瞳孔部は着色される。図３Ｂ及び４Ｂの態様の本発明の虹彩部着色用治具について、雄部１の凸部６にコンタクトレンズ２０を載置し、雄部１と雌部２とを嵌合することによって、コンタクトレンズ２０は、凸部６及び凹部１４並びに瞳孔部非着色用具２１及び２３により挟み込まれ固定される。このような状態の虹彩部着色用治具を着色剤に浸漬し、次いで取り出した着色処理後のコンタクトレンズと固着剤とを接触させて得られるコンタクトレンズは、例えば、図１１に示すとおり、着色虹彩部３６、非着色周辺部３７及び非着色瞳孔部３８を有するコンタクトレンズである。
【００２８】
図３Ａに示される凸部６及び凹部１４の幅Ｄ及びＤ’、虹彩部着色用孔５及び１３の孔径Ｂ及びＢ’、瞳孔部非着色用具２１及び２３の径Ｃ及びＣ’は装用者の虹彩異常及び瞳孔異常に基づいて適宜設定することができ、それらを組み合わせた虹彩部着色用治具を用意することにより、多様な着色パターンのコンタクトレンズを得ることが可能となる。
【００２９】
コンタクトレンズを載置するための凸部６、凹部１４又はその両方は、着色するコンタクトレンズのベースカーブに合わせた曲率を有するように設計することにより、コンタクトレンズを載置する際に撓みを抑止することが可能となり、これにより着色部と非着色部の境界の滲みも抑止できる。曲率はコンタクトレンズのベースカーブに合わせる限り特に限定されないが、例えば、７．５０〜９．５０ｍｍであり、好ましくは８．００〜９．２０ｍｍである。また、凸部６及び虹彩部着色用孔５からなるコンタクトレンズ載置部７の直径Ａは、載置するコンタクトレンズの直径に合わせて適宜設定される。コンタクトレンズの直径は、例えば、１０．０〜１７．０ｍｍであり、好ましくは１２．０〜１５．０ｍｍである。そこで、コンタクトレンズ載置部７の直径Ａは、コンタクトレンズの直径に合わせて、例えば、１０．０〜１７．０ｍｍであり、好ましくは１２．０〜１５．０ｍｍである。凹部１４及び虹彩部着色用孔１３からなるコンタクトレンズ載置部７’の直径Ａ’は、直径Ａと同一の径である。
【００３０】
凸部６及び凹部１４の幅Ｄ及びＤ’は、所望の幅で設計され、特に限定されないが、例えば、コンタクトレンズを確実に固定することができる幅であり、好ましくは少なくとも０．５０ｍｍであり、より好ましくは１．００ｍｍ以上である。
【００３１】
虹彩部着色用孔５及び１３の孔径Ｂ及びＢ’は、装用者の虹彩径に合わせて適宜設定されるので、特に限定されないが、コンタクトレンズ載置部の直径から凸部又は凹部の幅を減じた値となることから、例えば、９．５０〜１６．５０ｍｍであり、一般人の虹彩径を考慮すれば９．５０〜１２．５０ｍｍが好ましい。ただし、コンタクトレンズの瞳孔部を非着色とする場合においては、虹彩部着色用孔５及び１３の孔径Ｂ及びＢ’は、瞳孔部非着色用具の径Ｃよりも大きい値に設定する。
【００３２】
瞳孔部非着色用具の径Ｃは、装用者の瞳孔径に合わせて適宜設定されるので、特に限定されないが、例えば、１．００〜７．００ｍｍであり、一般人の瞳孔径を考慮すれば２．００〜５．５０ｍｍが好ましい。また、雄部１の瞳孔部非着色用具挿入孔８に挿入される瞳孔部非着色用具２１の長さは、本発明の虹彩部着色用治具を使用した際に瞳孔部が非着色となる長さであれば特に限定されないが、例えば、図３Ａに示されるとおり、瞳孔部非着色用具止めピン挿入部１１に挿入した場合の瞳孔部非着色用具止めピン２２の先端部からコンタクトレンズ載置部７にコンタクトレンズを載置した際のコンタクトレンズに接するまでの長さＥである。同様に、瞳孔部非着色用具２３の長さは、本発明の虹彩部着色用治具を使用した際に瞳孔部が非着色となる長さであれば特に限定されないが、図３に示されるとおり、瞳孔部非着色用具止めピン挿入部１８に挿入した場合の瞳孔部非着色用具止めピン２４の先端部から雄部１及び雌部２を嵌合した際のコンタクトレンズに接するまでの長さＦである。
【００３３】
瞳孔部非着色用具２１及び２３の先端部は、コンタクトレンズのベースカーブに合わせた曲率を有することが好ましい。例えば、瞳孔部非着色用具２１の先端部における凸状の曲率が、瞳孔部非着色用具２３の先端部における凹状の曲率と同一の曲率を有するように形成することで、コンタクトレンズの瞳孔部をしっかりと抑え込むことができ、虹彩部との境界を鮮明にすることが可能となる。
【００３４】
雄部１及び雌部２それぞれの瞳孔部非着色用具止めピン挿入部１１及び１８に挿入する止めピン２２及び２４は、瞳孔部非着色用具が固定されるような長さや形状であればよく、形状としてはねじタイプ、差し込みタイプその他のタイプを採用できる。
【００３５】
なお、本発明の虹彩部着色用治具の別の態様として、虹彩部着色用孔の孔径Ｂを瞳孔径に設定すれば、本発明の虹彩部着色用治具は瞳孔部着色用治具として利用することが可能である。
【００３６】
［２．瞳孔部着色用治具］
本発明の瞳孔部着色用治具は、雄部及び雌部からなる。本発明の瞳孔部着色用治具の雄部及び雌部はそれぞれコンタクトレンズを挟み込むための凸部及び凹部を備える。これらの凸部、凹部又はその両方は、着色剤流入孔を備える。
【００３７】
本発明の瞳孔部着色用治具の具体的な一態様について、図５〜８を参照して説明する。図５〜８はそれぞれ本発明の瞳孔部着色用治具の一態様のコンタクトレンズ接触面側の平面図、コンタクトレンズ接触面の裏側から見た平面図、断面図及び斜視図である。雄部３及び雌部４は組合せて使用する。雄部３は、コンタクトレンズを載置するための凸部２９、フランジ部３０及びピンチコック固定部３１より形成される。また、雌部４は、コンタクトレンズを載置するための凹部３２、着色剤流入孔３３、フランジ部３４及びピンチコック固定部３５より形成される。
【００３８】
雄部３及び雌部４からなる瞳孔部着色用治具を使用して瞳孔部を着色した着色コンタクトレンズの具体的態様を、図１２及び図１３に示す。図１２Ａに示す着色コンタクトレンズは、全体的に着色されているとともに、瞳孔部においても別の色彩で着色されている。図１２Ｂに示す着色コンタクトレンズは、瞳孔部のみが着色されている。図１３に示す着色コンタクトレンズは、瞳孔部及び虹彩部の両方が相違する色彩によって着色されている。着色剤流入孔３３の径Ｈを変動させることや本発明の虹彩部着色用治具を用いるなどして虹彩部の着色条件を変動させることにより、瞳孔部及び虹彩部において多様な着色パターンを形成したコンタクトレンズを得ることが可能となる。
【００３９】
雄部３の凸部２９にコンタクトレンズ２０を載置した後、雄部３を雌部４に嵌め込み、フランジ部３０とフランジ部３４とを整合することで、コンタクトレンズは雄部３の凸部２９と、雌部４の凹部３２に挟み込まれ固定される。この際、フランジ部３０及びフランジ部３４の間を密着させるために、パッキンなどのシール材を利用することが好ましい。次いで、着色剤流入孔３３より、瞳孔部着色剤を注入することで、着色剤流入孔３３の孔径に合わせ瞳孔部が着色される。
【００４０】
着色剤流入孔３３の径Ｈは、装用者の瞳孔径により設定されるので、特に限定されないが、例えば、虹彩径より小さい径であり、一般人の瞳孔径を考慮すれば０．５０〜１０．０ｍｍが好ましく、２．５〜９．００ｍｍがより好ましい。詳細については、実施例において記載するが、瞳孔部の着色は、虹彩部の着色の前及び後のいずれでも構わない。
【００４１】
なお、本発明の瞳孔部着色用治具の別の態様として、着色剤流入孔の孔径Ｈを虹彩径に設定すれば、本発明の瞳孔部着色用治具は虹彩部着色用治具として利用することが可能である。
【００４２】
［３．着色虹彩部及び／又は着色瞳孔部を有するコンタクトレンズの製造方法］
本願発明の虹彩部着色用治具、瞳孔部着色用治具又はその両方を用いれば、着色虹彩部、着色瞳孔部又はその両方を有するコンタクトレンズを製造することができる。
【００４３】
着色虹彩部を有するコンタクトレンズを製造する方法は、本発明の虹彩部着色用治具に載置したコンタクトレンズと着色剤とを接触させて虹彩部着色後コンタクトレンズを得る工程、及び虹彩部着色後コンタクトレンズと固着剤とを接触させて着色虹彩部を有するコンタクトレンズを得る工程を含む。
【００４４】
虹彩部着色後コンタクトレンズを得る工程では、本発明の虹彩部着色用治具における雄部の凸部及び雌部の凹部の間にコンタクトレンズを載置し、雄部及び雌部を嵌め合わせてコンタクトレンズを挟み込んだ状態にした虹彩部着色用治具を、例えば、着色剤中に浸漬することにより、虹彩部に着色剤が付着した虹彩部着色後コンタクトレンズを得る。
【００４５】
着色剤は特に限定されず、顔料及び染料のいずれを使用することもできるが、着色性及び着色安定性を考慮して染料を用いることが好ましい。
【００４６】
染料は、化学構造や反応性により、直接染料、酸性染料、塩基性染料、分散染料、反応染料などに分類される。直接染料としては特に限定されないが、例えば、ダイレクト  Ｓ  イエロー  ＲＬ、ダイレクト  Ｓ  レッド  ＢＷＳ、ダイレクト  オレンジ  Ｓ、ダイレクト  ボルドー  ＧＳ、ダイレクト  ブルー  ＢＢ、ダイレクト  Ｓ  ブルー  ４ＢＬ  Ｈ／Ｃ、ダイレクト  Ｓ  ブルー  ＢＲＬ  ２００、ダイレクト  スカイブルー  ５Ｂ、ダイレクトライト  スカーレット  Ｆ２Ｇ、ダイレクトライト  ローズ  ＦＲ、ダイレクト  Ｆ  ブラック  Ｂ１６０、スミライト  Ｓ  ブルー  ＦＢＧＬ、スミライト  Ｓ  ブルー  ＦＧＬ、カヤラス  Ｌ  イエロー  Ｆ８Ｇ、カヤラス  Ｓ  イエロー  ＧＬＳ、カヤラス  イエロー  ＰＧ、カヤラス  Ｓ  オレンジ  ２ＧＬ  １２５％、カヤラス  Ｓ  ブロン  Ｂ２Ｒ、カヤラス  Ｓ  ブロン  ＧＬ  １２５、カヤラス  Ｓ  ブロン  ＧＴＬ、カヤラス  Ｌ  レッド  Ｆ５Ｂ、カヤラス  Ｓ  ルビン  ＢＬ、カヤラス  Ｓ  ブルー  ＲＣＬ、カヤラス  Ｓ  ブルー  ４Ｇ、カヤラス  Ｓ  ブルー  ＢＷＬ  １４３、カヤラス  Ｔ  ブルー  ＧＬ、カヤラス  Ｓ  グリーン  Ｆ４Ｇ、カヤラス  Ｃ  グリーン  Ｇ、カヤラス  Ｓ  グレー  Ｌ３Ｒ、カヤラス  Ｓ  グレー  ＣＧＬ、カヤラス  Ｓ  スカーレッド  ＢＮＬ  ２００、カヤラス  ライトスカーレット  Ｆ２Ｇ、カヤラス  Ｓ  レッド  ６ＢＬ  １７０％、カヤラス  Ｓ  バイオレット  ５ＢＬ  コンク、カヤラス  Ｃ  ネイビーブルー  ＣＬＷなどが挙げられ、これらの１種又は２種以上を組み合わせて使用できる。
【００４７】
酸性染料としては特に限定されないが、例えば、カヤノール  イエロー  ＮＦＧ、カヤノール  イエロー  Ｎ３Ｒ、カヤノール  Ｍ  イエロー  ５ＧＷ、カヤノール  Ｍ  イエロー  Ｏ、カヤノール  Ｍ  イエロー  ３ＧＷ、カヤノール  Ｍ  スカーレット  ＦＧＷ、カヤノール  Ｍ  レッド  ６ＢＷ  、カヤノール  Ｍ  バイオレット  ＦＢＷ、カヤノール  Ｍ  ターキスブルー  ３Ｇ、カヤノール  Ｍ  ブラック  ＶＬＧ、カヤノール  Ｍ  グリーン  ５ＧＷ、カヤノール  Ｍ  グリーン  ＧＷ、カヤノール  ミーリング  ブルー  ＧＷ、カヤノール  ミーリング  ブルー  ＢＷ、カヤノール  Ｍ  バイオレット  ＦＢＷ、カヤノール  ミーリング  ブラック  ＴＬＢ、アミニール  イエロー  Ｅ−３ＲＬ、アミニール  イエロー  Ｅ−３ＧＬ、アミニール  レッド  Ｅ−３ＢＬ、アミニール  ブルー  Ｅ−２ＧＬ、カヤカラン  スカーレット  ＧＬ、カヤカラン  ボルドー  ＢＬ、スミノール  Ｆ  イエロー  Ｒ  コンク、スミノール  Ｆ  イエロー  ２ＧＰ、スミノール  Ｆ  ブラック  ＢＲ  コンク、スミノール  Ｆ  イエロー  Ｇ、スミノール  Ｍ  ボルドー  Ｂ、スミノール  Ｍ  ブリリアント  レッド  Ｂ（Ｎ）  コンク、スミノール  Ｍ  ブリリアント  レッド  ３ＢＮ  コンク、スミノール  Ｍ  レッドブラウン  Ｖ  コンク、ラニール  ブラック  ＢＧ  ｅｘ／ｃｏ、ラニール  ブロン  ＧＲ（Ｎ）、ラニール  イエロー  Ｒ  ｅｘ／ｃｏ、アシド  Ｍ  レッド  ＰＧ、アシド  Ｍ  レッド  ＧＲＡ、アシド  Ｍ  レッド  ＲＳ  １２５、アシド  Ｍ  レッド  ３ＢＷ、アシド  グリーン  ＳＳ  ２００、アシド  Ｍ  グリーン  Ｂ、アシド  バイオレット  ４ＢＮＳ、アシド  Ｍ  サイアニン  ５Ｒ、イノラ  Ｍ  イエロー  ＮＲＧ−Ｎ、イノラ  スカーレット  ＢＡ、イノラ  Ｆ  サイアニン  ６Ｂ  Ｈ／Ｃ、イノラ  Ｆ  バイオレット  ５Ｂが挙げられ、これらの１種又は２種以上を組み合わせて使用できる。
【００４８】
塩基性染料としては特に限定されないが、例えば、アストラ  フロキシン  ＦＦ  コンク、プリモ  フラビン  ８Ｇ、メチールバイオレット  ＢＢ、メチールバイオレット  ピュア  ＳＰ、カチロン  イエロー  ７ＧＬＨ、カチロン  Ｂ  イエロー  ５ＧＬＨ２００％、カチロン  イエロー３ＧＬＨ２００％、カチロン  イエロー  Ｋ−３ＲＬＨ、カチロン  イエロー  ＳＧＬＨ、カチロン  イエロー  Ｔ−ＲＬＨ、カチロン  オレンジ  ＧＬＨ２００％、カチロン  Ｂ  レッド  ４ＧＨ２００％、カチロン  レッド  ６ＢＨ、カチロン  レッド  ７ＢＮＨ２００％、カチロン  Ｂ  レッド  ３ＢＰＨ、カチロン  レッド  ＣＤ−ＦＢＬＨ、カチロン  ブルー  ＢＲＬＨ２００％、カチロン  ブルー  Ｔ−ＢＬＨ、カチロン  ブルー  ＣＤ−ＦＢＬＨ、カチロン  ブルー  ３ＧＬＨ、カチロン  ブラック  ＣＤ−ＢＬＨ、カチロン  ブラック  ＭＨ、カチロン  ブラック  ＮＨ２００％、アストラゾン  イエロー  ７ＧＬＬ２００％、アストラゾン  イエロー  ８ＧＳＬ２００％、アストラゾン  イエロー  ＧＲＬ２００％、アストラゾン  レッド  ＢＢＬ２００％、アストラゾン  レッド  ６Ｂ、アストラゾン  レッド  ＣＳ−Ｎ、アストラゾン  レッド  ＧＴＬＮ２００％  ０１、アストラゾン  ブルー  ＢＧ２００％、アストラゾン  ブルー  ５ＧＬ２００％、アストラゾン  ブルー  ＡＵ−Ｎ０２、アストラゾン  ブラック  ＦＤＬ２００％０１、アストラゾン  ブラック  ＳＷ２００％などが挙げられ、これらを１種又は２種以上を組み合わせて使用できる。
【００４９】
分散染料としては特に限定されないが、例えば、ダイアニックス  Ｂｒ  イエロー  ５ＧＥ、ダイアニックス  Ｂｒ  ブルー  ＧＲＥ、ダイアニックス  Ｂｒ  ネイビーブルー  ＢＮＥ、ダイアニックス  Ｂｒ  ブラック  ＢＮＳＥ、ダイアニックス  イエロー  ７ＧＬ２００％、ダイアニックス  イエロー  Ｇ−ＦＳ２００、ダイアニックス  レッドＲ−Ｅ１６７、ダイアニックス  レッドＢＮ−ＳＥ、ダイアニックス  レッドＧ−ＦＳ、ダイアニックス  レッドＧＲ、ダイアニックス  ブルー３ＲＬＳ、ダイアニックス  ブルーＦＢＬ−Ｅ、ダイアニックス  ブラックＢＧ−ＦＳ２００％０１、ダイアニックス  ブラックＨＧ−ＦＳ  コンク、スミカロン  イエロー  ＳＥ５Ｇ、スミカロン  ブロン  Ｇ、スミカロン  カーキ  ＧＧ、スミカロン  オリーブ  ＭＷ、スミカロン  バイオレット  Ｓ４ＲＬ  ｅｘ／ｃｏ、ミケトン  Ｐ  オレンジ  ＳＦ、ミケトン  Ｐ  レッド  ＢＳＦ、ミケトン  Ｐ  レッド  ＢＬＳＦ、カヤロン  Ｐ  スカーレット  ＲＬＳＦ、カヤロン  Ｐ  ルビン  ＧＬＳＥ  ２００％、カヤロン  Ｐ  ブラック  ＥＸＳＦ  ２００％などが挙げられ、これらの１種又は２種以上を組み合わせて使用できる。
【００５０】
反応染料としては特に限定されないが、例えば、レマゾール  Ｂ  イエロー  ４ＧＬ、レマゾール  Ｂ  イエロー  ＧＬ、レマゾール  イエロー  ＦＧ  １５０％、レマゾール  イエロー  ＧＮＬ、レマゾール  イエロー  ＧＲ、レマゾール  Ｇ  イエロー  Ｇ、レマゾール  Ｇ  オレンジ４Ｇ、レマゾール  Ｂ  オレンジ  ＦＲ、レマゾール  Ｂ  オレンジ  ３Ｒ、レマゾール  Ｂ  レッド  ＧＧ、レマゾール  Ｂ  レッド  ＢＢ１５０％、レマゾール  Ｂ  レッド  Ｆ３Ｂ、レマゾール  レッド  ＲＨＧ、レマゾール  ボールド  Ｂ、レマゾール  Ｂ  バイオレット  ５Ｒ９０％、レマゾール  Ｂ  ブルー  ＲＫＮ、レマゾール  Ｂ  ブルー  ＢＢ１３３％、レマゾール  ターキス  Ｂ、レマゾール  ターキス  Ｇ１３３％、レマゾール  Ｂ  グリーン  ６Ｂ１７５％、レマゾール  ネービー  ＲＧＢ１５０％、レマゾール  ブラック  Ｂ１５０％、レマゾール  ブラック  ＤＥＮ、レマゾール  ブラック  Ａ、レマゾール  ブラック  Ｂ、スミフィクス  イエロー  ２ＧＬ１５０％、スミフィクス  イエロー  ＧＲ１５０％、スミフィクス  Ｇ  イエロー  ＧＧ１５０％、スミフィクス  オレンジ  ３Ｒ１５０％、スミフィクス  レッド  Ｇ１５０％、スミフィクス  レッド  ＢＢ１５０％、スミフィクス  レッド  ＢＳ、スミフィクス  レッド  ７ＢＦ２５％、スミフィクス  ブルー  Ｒ、スミフィクス  ブルー  ＫＰ、スミフィクス  ターキスブルー  Ｇ、スミフィクス  Ｎブルー  ＥＸＦ、スミフィクス  ブラック  Ｂ１５０％、スミフィクス  ブラック  ＥＸ、スミフィクス  ブラック  ＥＡ、カヤシオン  イエロー  Ｐ−５Ｇ、カヤシオン  イエロー  ＰＮ―３Ｒ、ミカシオン  イエロー  ８ＧＮ、カヤシオン  オレンジ  ＰＧ、カヤシオン  ブラウン  Ｐ−４ＮＲ、カヤシオン  スカーレットＰ  ＲＮ、カヤシオン  レッド  Ｐ−２Ｂ、カヤシオン  レッド  Ｐ−４ＢＮ、カヤシオン  レッド  Ａ−３Ｂ、カヤシオン  ブルー  Ｐ−３Ｒ、カヤシオン  ブルー  Ａ−Ｂ、カヤシオン  ネイビー  Ｐ−Ｎ２Ｒ、カヤシオン  ブラック  Ｐ−Ｎ、シバクロン  イエロー  Ｐ―６ＧＳ、シバクロン  オレンジ  Ｐ―２Ｒ、シバクロン  ブラウン  Ｐ―６Ｒ１５０、シバクロン  レッド  Ｐ―Ｂ、シバクロン  レッド  Ｐ―４Ｂ、シバクロン  レッド  Ｐ―６Ｂ１５０、シバクロン  ブルー  Ｐ−３Ｒ、シバクロン  ブラック  ＰＧＲ１５０％などが挙げられ、これらの１種又は２種以上を組み合わせて使用できる。
【００５１】
着色剤としてジアゾニウム塩化合物を用いることができる。この場合においては、以下に記載の固着工程において、アゾカップリングを行うことにより、染料としての構造を有するようになる。
【００５２】
着色剤は、単独で使用してもよく、所望の色味に合わせて種類を限定せずに適宜組み合せて使用してもよい。着色剤の配合量（濃度）は特に限定されず、所望の色味により変動することができるが、例えば、総量として、溶液中で０．０１〜２０重量％であり、０．５〜５．０重量％であることが好ましい。着色剤の調製は、溶媒中に溶解又は分散して溶液の形態で得ることが好ましい。溶媒は、使用する着色剤の性質により、適する液質が異なることから、適宜調整して使用する。溶媒には、水や有機溶媒などが挙げられ、これらを単独又は組み合せて使用する。着色剤を酸性条件又は塩基性条件で使用する場合は、一般的な酸性化合物又は塩基性化合物を添加して調製すればよい。このような条件で調製した着色剤を用いてコンタクトレンズを着色するが、着色時間は特に限定されず、所望の色味、着色剤の液質、温度などにより適宜設定することができ、例えば、数十分から数時間の間であるが、着色中におけるコンタクトレンズのダメージを考慮して、５時間以内に完了することが好ましい。また、反応温度は特に限定されず、着色剤の性質によって適宜設定されるが、例えば、０〜１００度であり、着色中におけるコンタクトレンズのダメージを考慮して、０〜７５℃であることが好ましい。
【００５３】
虹彩部着色後コンタクトレンズを得る工程の後段に、虹彩部着色後コンタクトレンズと固着剤とを接触させて着色虹彩部を有するコンタクトレンズを得る工程を実施する。この際、本発明の虹彩部着色用治具に載置された状態の虹彩部着色後コンタクトレンズと固着剤とを接触させてもよいが、本発明の虹彩部着色用治具から取り外した後に、別の治具を用いて、又は用いずに、虹彩部着色後コンタクトレンズと固着剤とを接触させることが好ましい。また、虹彩部着色後コンタクトレンズと固着剤とを接触させる前に、コンタクトレンズ表面についた余分な着色剤を除去することなどを目的として、虹彩部着色後コンタクトレンズを水洗などの洗浄手段に供することができる。
【００５４】
固着剤は使用した着色剤の種類により使い分けられ、例えば、一般的なアルカリ固着やアゾカップリングなどで用いられる固着剤である。固着を行うことにより、着色剤がコンタクトレンズ基材に固着されるようになり、コンタクトレンズ基材への着色剤の堅牢度、耐光性及び色調の鮮明さが向上する。固着剤の濃度、固着時間や固着温度などの虹彩部着色後コンタクトレンズと固着剤とを接触させる各種条件は、着色剤がコンタクトレンズ基材に固着される条件であれば特に限定されず、用いる固着剤の種類や着色剤及び固着剤の組み合わせ態様に応じて適宜設定できる。
【００５５】
虹彩部着色後コンタクトレンズと固着剤とを接触させることにより、着色虹彩部を有するコンタクトレンズが得られる。着色虹彩部を有するコンタクトレンズは、装用に際して、着色剤、固着剤、酸性化合物や塩基性化合物などの余剰物を除去するために洗浄することが好ましい。洗浄手段は特に限定されない。洗浄手段として溶媒を用いる場合、溶媒は特に限定されず、例えば、余剰物を溶解可能な溶媒を適宜選択できる。本発明の方法においては、精製水が好ましく用いられる。具体的には、着色虹彩部を有するコンタクトレンズを沸騰した十分な量の精製水により洗浄し、さらに精製水を交換して複数回洗浄することが好ましい。一回の煮沸時間は、最長１２０分であり、次の精製水へ移送する際は、室温まで放冷した後でも放冷せずに直接してもよい。
【００５６】
本発明の着色瞳孔部を有するコンタクトレンズの製造方法は、本発明の瞳孔部着色用治具に載置したコンタクトレンズと着色剤とを接触させて瞳孔部着色後コンタクトレンズを得る工程、及び瞳孔部着色後コンタクトレンズと固着剤とを接触させて着色瞳孔部を有するコンタクトレンズを得る工程を含む。
【００５７】
瞳孔部着色後コンタクトレンズを得る工程では、本発明の瞳孔部着色用治具における雄部の凸部及び雌部の凹部の間にコンタクトレンズを載置し、雄部及び雌部を嵌め合わせてコンタクトレンズを挟み込んだ状態にした瞳孔部着色用治具を、例えば、着色剤流入孔に着色剤を注入することにより、瞳孔部に着色剤が付着した瞳孔部着色後コンタクトレンズを得る。
【００５８】
本発明の着色瞳孔部を有するコンタクトレンズの製造方法における、着色剤との接触、固着剤との接触、コンタクトレンズの洗浄などは、本発明の着色虹彩部を有するコンタクトレンズの製造方法と同様に実施できる。
【００５９】
本発明の着色虹彩部及び着色瞳孔部を有するコンタクトレンズを製造する方法は、本発明の着色虹彩部を有するコンタクトレンズの製造方法により得た着色虹彩部を有するコンタクトレンズを、本発明の着色瞳孔部を有するコンタクトレンズの製造方法に供することにより着色虹彩部及び着色瞳孔部を有するコンタクトレンズを得る工程を含む。または、順序を入れ替えて、本発明の着色瞳孔部を有するコンタクトレンズの製造方法により得た着色瞳孔部を有するコンタクトレンズを、本発明の着色虹彩部を有するコンタクトレンズの製造方法に供することにより着色虹彩部及び着色瞳孔部を有するコンタクトレンズを得る工程を含んでもよい。
【００６０】
本発明の製造方法において、各工程の前段又は後段には、本発明の製造方法の目的を達成し得る限り種々の工程を含み得る。また、本発明のいずれかの方法により得られた着色虹彩部、着色瞳孔部及びその両方を有するコンタクトレンズは、本発明の別の態様として提供される。本発明のコンタクトレンズの具体的態様は、例えば、図１０〜１３に示すコンタクトレンズであるが、これらに限定されるものではない。
【００６１】
本発明の製造方法に供されるコンタクトレンズは特に限定されないが、例えば、含水性を有するコンタクトレンズである。含水性を有するコンタクトレンズを形成するための構成成分として、親水性モノマー、アクリルエステル系モノマー、シリコーン系モノマー、架橋性モノマーなどが挙げられる。
【００６２】
親水性モノマーは、分子内に親水性を示す基を少なくとも１以上有していればよく、具体的には、Ｎ、Ｎ−ジメチルアクリルアミド（ＤＭＡＡ）、２−ヒドロキシエチルメタクリレート（ＨＥＭＡ）、（メタ）アクリル酸、ポリエチレングリコールモノメタクリレート、グリセロールメタクリレート、Ｎ−ビニルピロリドン（ＮＶＰ）、Ｎ−ビニル−Ｎ−メチルアセトアミド、Ｎ−ビニル−Ｎ−エチルアセトアミド、Ｎ−ビニル−Ｎ−エチルホルムアミド、Ｎ−ビニルホルムアミドなどが挙げられ、単独あるいは２種類以上を混合して用いることができる。
【００６３】
アクリル酸エステル系モノマーとして、メチル（メタ）アクリレート、エチル（メタ）アクリレート、プロピル（メタ）アクリレート、ｉ−プロピル（メタ）アクリレート、Ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレート、トリデシル（メタ）アクリレート等の直鎖状、分岐鎖状または、環状のアルキル（メタ）アクリレート、トリフルオロエチル（メタ）アクリレート、テトラフルオロプロピル（メタ）アクリレート、オクタフルオロペンチル（メタ）アクリレートなどのフッ素原子含有アルキル（メタ）アクリレートなどが挙げられ、単独あるいは、２種類以上を混合して用いることができる。
【００６４】
シリコーン系モノマーとしては、高分子量のシリコーンモノマー特に、分子内に直鎖状のシロキサン結合構造を有する高分子量のシリコーンモノマーであればよく、α−モノ（メタクリロキシメチル）ポリジメチルシロキサン、α，ω−ジ（メタクリロキシメチル）ポリジメチルシロキサン、α−モノ（３−メタクリロキシプロピル）ポリジメチルシロキサン、α，ω−ジ（３−メタクリロキシプロピル）ポリジメチルシロキサン、α−モノ（３−メタクリロキシブチル）ポリジメチルシロキサン、α，ω−ジ（３−メタクリロキシブチル）ポリジメチルシロキサン、α−モノビニルポリジメチルシロキサン、α，ω−ジビニルポリジメチルシロキサンポリシロキサンマクロマーや、３−トリス（トリメチルシロキシ）シリルメチル（メタ）アクリレート、３−トリス（トリメチルシロキシ）シリルプロピル（メタ）アクリレート、３−メチルビス（トリメチルシロキシ）シリルメチル（メタ）アクリレート、３−メチルビス（トリメチルシロキシ）シリルプロピル（メタ）アクリレート、３−トリメチルシロキシジメチルシリルメチル(メタ)アクリレート、３−トリメチルシロキシジメチルシリルプロピル(メタ)アクリレート、３−メチルジメトキシシリルプロピル（メタ）アクリレートなどの末端にアルキルシロキシ基を有するシリコーン含有モノマーなどが挙げられ、単独あるいは、２種類以上を混合して用いることができる。
【００６５】
架橋性モノマーは、分子内に重合可能な官能基を２個以上有すればよく、具体的にはエチレングリコールジ（メタ）アクリレート、ジエチレングリコールジ（メタ）アクリレート、トリエリチレングリコールジ（メタ）アクリレート、トリメチロールプロパントリ（メタ）アクリレート、ペンタエリスリトールトリ（メタ）アクリレート、などの（メタ）アクリレート系架橋性モノマー、アリルメタクリレート、ジアリルマレエート、ジアリルフマレート、ジアリルフタレート、トリアリルシアヌレート、トリアリルイソシアヌレート、ジアリルエーテル、ジビニルベンゼンなどのビニル系架橋性モノマーなどが挙げられる。
【００６６】
含水性を有するコンタクトレンズを製造するためには、上記したモノマーを、所望により適宜測り込み、均一に撹拌した後、重合開始剤を添加してさらに撹拌を行った後、共重合に供する。重合開始剤としては、２，２’−アゾビスイソブチロニトリル、１，１’−アゾビス（シクロヘキサン−１−カルボニトリル）、２，２’−アゾビス（２，４−ジメチルバレロニトリル）、２，２’−アゾビス（２−メチルブチロニトリル）などのアゾ系重合開始剤、ターシャリーヘキシルパーオキシデカノエート、ターシャリーブチルパーオキシデカノエート、ターシャリーヘキシルパーオキシピバレート、ターシャリーブチルパーオキシピバレートなどの有機過酸化物系重合開始剤などが挙げられる。
【００６７】
また、所望の紫外線吸収能を付与するために、２−ヒドロキシ−４−（メタ）アクリロイルオキシベンゾフェノン、２−ヒドロキシ−４−（メタ）アクリロイルオキシ−５−ｔ−ブチルベンゾフェノン、２−（２’−ヒドロキシ−５’−（メタ）アクリロイルオキシエチルフェニル）−２Ｈ−ベンゾトリアゾール、２−（２’−ヒドロキシ−５’−（メタ）アクリロイルオキシエチルフェニル）−５−クロロ−２Ｈ−ベンゾトリアゾール、２−ヒドロキシ−４−メタクリロイルオキシメチル安息香酸フェニルなどの紫外線吸収剤を配合することもできる。
【００６８】
コンタクトレンズの製造方法としては、レンズ形状の成形型を用いてモノマー成分を共重合する方法やチューブ状の容器中でモノマー成分を共重合した後にレンズ形状に切削、研磨する方法などの公知の方法を特に限定せずに採用できる。
【００６９】
以下、本発明を実施例によりさらに詳細に説明するが、本発明はこれら実施例に限定されるものではない。
【実施例】
【００７０】
［コンタクトレンズの形成］
（コンタクトレンズ１／含水性軟質コンタクトレンズ）
２−ヒドロキシエチルメタクリレート（ＨＥＭＡ）９８重量％、エチレングリコールジメタクリレート（ＥＤＭＡ）２重量％を量り込んだ後、各成分が均一になるように室温にて３０分攪拌した後に、重合開始剤として２，２’−アゾビスブチロニトリル（ＡＩＢＮ）を０．５重量部添加した。さらに十分に攪拌した後、ポリプロピレン製のコンタクトレンズ用成形型（１）及び（２）内に注入し、窒素雰囲気下、７０℃で１０時間加温し、レンズ形状の共重合体とした。
【００７１】
得られた共重合体をエタノールで残留原料を洗浄するとともに膨潤を行った後、リン酸緩衝液（ｐＨ８．０）で置換し、（１）レンズ径１３．５ｍｍ、ベースカーブ８．６０ｍｍ、（２）レンズ径１５．０ｍｍ、ベースカーブ９．２０ｍｍの含水性軟質コンタクトレンズを得た。
【００７２】
（コンタクトレンズ２／シリコーン系含水性軟質コンタクトレンズ）
α，ω−ジ（３−メタクリロキシプロピル）ポリジメチルシロキサン３０重量％、２−ヒドロキシエチルメタクリレート（ＨＥＭＡ）６０重量％、トリデシルメタクリレート（ＴＤＭＡ）８重量％、エチレングリコールジメタクリレート（ＥＤＭＡ）２重量％を量り込んだ後、さらに、ターシャリーブチルアルコール（ｔ−ＢｕＯＨ）を全モノマー量が６０重量％となるように量り込み、各成分が均一になるように室温にて３０分攪拌した後に、重合開始剤としてターシャリーブチルパーオキシデカノエート（ｔ−ＢｕＮＤ）を０．５重量部添加した。さらに十分に攪拌した後、ポリプロピレン製のコンタクトレンズ用成形型内に注入し、窒素雰囲気下、７０℃で１０時間加温し、レンズ形状の共重合体とした。
【００７３】
得られた共重合体をエタノールで残留原料を洗浄するとともに膨潤を行った後、リン酸緩衝液（ｐＨ８．０）で置換し、レンズ径１２．０ｍｍ、ベースカーブ８．００ｍｍのシリコーン系含水性軟質コンタクトレンズを得た。
【００７４】
［コンタクトレンズの着色］
（参考例１／着色コンタクトレンズ態様１（１）：図９）
コンタクトレンズ２を、カップ部に着色剤が流入するための孔を有する蓋付きのカップ型治具に載置した後、６０℃に調整した、表１に記載の着色剤１に治具ごと６０分浸漬した。治具よりコンタクトレンズ２を取り出し、流水で水洗した後、再度蓋付きのカップ型治具に載置し、表１に記載の室温の固着剤１に６０分間浸漬した。治具ごと流水にて水洗した後、沸騰した精製水に６０分間浸漬し、液を交換し、さらに、沸騰した精製水に６０分間浸漬することで、全面が茶色に着色されたコンタクトレンズを得た。
【００７５】
（参考例２／着色コンタクトレンズ態様１（２）：図９）
コンタクトレンズ２を、カップ部に着色剤が流入するための孔を有する蓋付きのカップ型治具に載置した後、５℃に調整した、表１に記載の着色剤２に治具ごと浸漬し、冷蔵庫内５℃にて６０分間静置した。治具よりコンタクトレンズ２を取り出し、流水で水洗した後、再度蓋付きのカップ型治具に載置し、表１に記載の室温の固着剤２に６０分間浸漬した。治具ごと流水にて水洗した後、沸騰した精製水に６０分間浸漬し、液を交換し、さらに、沸騰した精製水に６０分間浸漬することで、全面が黒色に着色されたコンタクトレンズを得た。
【００７６】
（実施例１／着色コンタクトレンズ態様２（１）：図１０）
コンタクトレンズ１（１）を、コンタクトレンズ載置部の直径１３．５ｍｍ及び虹彩部着色用孔の孔径１１．０ｍｍを備えた雄部及び雄部からなる虹彩部着色用治具に載置した後、６０℃に設定して、表１に記載の着色剤１に治具ごと６０分間浸漬した。虹彩部着色用治具からコンタクトレンズ１（１）を取り出し、流水で水洗した後、カップ部に孔を有する蓋付きのカップ型治具に載置し、表１に記載の室温の固着剤１に６０分間浸漬した。治具ごと流水にて水洗した後、沸騰した精製水に６０分間浸漬し、液を交換し、さらに、沸騰した精製水に６０分間浸漬することで、周辺部に非着色部を有し、虹彩部が茶色に着色されたコンタクトレンズを得た。
【００７７】
（実施例２／着色コンタクトレンズ態様２（２）：図１０）
コンタクトレンズ１（１）を、コンタクトレンズ載置部の直径１３．５ｍｍ及び虹彩部着色用孔の孔径１１．０ｍｍを備えた雄部及び雌部からなる虹彩部着色用治具に載置した後、５℃に調整した、表１に記載の着色剤２に治具ごと浸漬し、冷蔵庫内５℃にて６０分間浸漬した。虹彩部着色用治具よりコンタクトレンズ１（１）を取り出し、流水で水洗した後、カップ部に孔を有する蓋付きのカップ型治具に載置し、表１に記載の室温の固着剤２に治具ごと浸漬し、冷蔵庫内５℃にて６０分間静置した。治具ごと流水にて水洗した後、沸騰した精製水に６０分間浸漬し、液を交換し、さらに、沸騰した精製水に６０分間浸漬し、周辺部に非着色部を有し、虹彩部が黒色に着色されたコンタクトレンズを得た。
【００７８】
（実施例３／着色コンタクトレンズ態様３（１）：図１１）
コンタクトレンズ１（２）を、瞳孔部非着色用具挿入孔の孔径３．５ｍｍ、コンタクトレンズ載置部の直径１４．５ｍｍ及び虹彩部着色用孔の孔径１２．５ｍｍを備えた雄部及び雌部からなる虹彩部着色用治具に載置した後、６０℃に設定して、表１に記載の着色剤１に治具ごと６０分浸漬した。治具よりコンタクトレンズ１（２）を取り出し、流水で水洗した後、カップ部に孔を有する蓋付きのカップ型治具に載置し、表１に記載の室温の固着剤１に６０分間浸漬した。治具ごと流水にて水洗した後、沸騰した精製水に６０分間浸漬し、液を交換し、さらに、沸騰した精製水に６０分間浸漬することで、周辺部と瞳孔部に非着色部を有し、虹彩部が茶色に着色されたコンタクトレンズを得た。
【００７９】
（実施例４／着色コンタクトレンズ態様３（２）：図１１）
コンタクトレンズ１（２）を、瞳孔部非着色用具挿入孔の孔径３．５ｍｍ、コンタクトレンズ載置部の直径１４．５ｍｍ及び虹彩部着色用孔の孔径１２．５ｍｍを備えた雄部及び雌部からなる虹彩部着色用治具に載置した後、６０℃に調整した、表１に記載の着色剤２に治具ごと浸漬し、冷蔵庫内５℃にて６０分間静置した。治具よりコンタクトレンズ１（２）を取り出し、流水で水洗した後、カップ部に孔を有する蓋付きのカップ型治具に載置し、表１に記載の室温の固着剤２に６０分間浸漬した。治具ごと流水にて水洗した後、沸騰した精製水に６０分間浸漬し、液を交換し、さらに、沸騰した精製水に６０分間浸漬することで、周辺部と瞳孔部に非着色部を有し、虹彩部が黒色に着色されたコンタクトレンズを得た。
【００８０】
（実施例５／着色コンタクトレンズ態様４（１）：図１２Ａ）
コンタクトレンズ１（１）を、カップ部に孔を有する蓋付きのカップ型治具に載置した後、６０℃に設定して、表１に記載の着色剤１に治具ごと６０分浸漬した。治具よりコンタクトレンズ１（１）を取り出し、流水で水洗した後、再度蓋付きのカップ型治具に載置し、表１に記載の室温の着色剤固着剤１に６０分間浸漬した。治具ごと流水にて水洗した後、沸騰した精製水に６０分間浸漬し、液を交換し、さらに、沸騰した精製水に６０分間浸漬することで、全体的に着色された着色コンタクトレンズを得た。
【００８１】
この着色コンタクトレンズを、雄部及び瞳孔部着色剤流入孔の孔径５．５ｍｍを備えた雌部からなる瞳孔部着色用治具に載置し、表１に記載のとおりに調製し、３℃に冷却された着色剤２を、瞳孔部着色剤流入孔より注入した。治具ごと冷蔵庫内５℃にて６０分間静置した後、治具よりコンタクトレンズを取出し、流水で水洗した後、カップ部に孔を有する蓋付きのカップ型治具に載置し、表１に記載の室温の固着剤２に６０分間浸漬した。治具ごと流水にて水洗した後、沸騰した精製水に６０分間浸漬し、液を交換し、さらに、沸騰した精製水に６０分間浸漬することで、瞳孔部が黒色、その他の部分が茶色に着色されたコンタクトレンズを得た。
【００８２】
（実施例６／着色コンタクトレンズ態様４（２）：図１２Ｂ）
コンタクトレンズ１（１）を、雄部及び瞳孔部着色剤流入孔の孔径２．５ｍｍを備えた雌部からなる瞳孔部着用治具に載置し、表１に記載のとおりに調製し、３℃に冷却された着色剤２を、瞳孔部着色剤流入孔より注入した。治具ごと冷蔵庫内５℃にて６０分間静置した後、治具よりコンタクトレンズ１（１）を取出し、流水で水洗した後、カップ部に孔を有する蓋付きのカップ型治具に載置し、表１に記載の室温の固着剤２に６０分間浸漬した。治具ごと流水にて水洗した後、沸騰した精製水に６０分間浸漬し、液を交換し、さらに、沸騰した精製水に６０分間浸漬することで、瞳孔部は黒色、その余の部分が無色に着色されたコンタクトレンズを得た。
【００８３】
（実施例７／着色コンタクトレンズ態様５：図１３）
コンタクトレンズ１（２）を、雄部及び瞳孔部着色剤流入孔の孔径２．０ｍｍを備えた雌部からなる瞳孔部着用治具に載置し、表１に記載のとおりに調製し、３℃に冷却された着色剤２を、瞳孔部着色剤流入孔より注入した。治具ごと冷蔵庫内５℃にて６０分間静置した後、治具よりコンタクトレンズ１（２）を取出し、流水で水洗した後、カップ部に孔を有する蓋付きのカップ型治具に載置し、表１に記載の室温の固着剤２に６０分間浸漬した。治具ごと流水にて水洗した後、沸騰した精製水に６０分間浸漬し、液を交換し、さらに、沸騰した精製水に６０分間浸漬し、着色瞳孔部を有するコンタクトレンズを得た。
【００８４】
得られた着色瞳孔部を有するコンタクトレンズを、コンタクトレンズ載置部の直径１４．５ｍｍ及び虹彩部着色用孔の孔径１２．５ｍｍを備えた雄部及び雌部からなる虹彩部着色用治具に載置した後、６０℃に調整した、表１に記載の着色剤１に治具ごと６０分浸漬した。治具よりコンタクトレンズを取り出し、流水で水洗した後、カップ部に孔を有する蓋付きのカップ型治具に載置し、表１に記載の室温の固着剤１に６０分間浸漬した。治具ごと流水にて水洗した後、沸騰した精製水に６０分間浸漬し、液を交換し、さらに、沸騰した精製水に６０分間浸漬することで、周辺部に非着色部を有し、虹彩部が茶色、瞳孔部が黒色に着色されたコンタクトレンズを得た。
【００８５】
【表１】
2015049304.tif 000003
※２，５−ジエトキシ−４−（４’―トリルメルカプト）ベンゼンジアゾニウムクロライド１／２ジンククロライド（ジアゾ化合物）
【符号の説明】
【００８６】
１  虹彩部着色用治具雄部
２  虹彩部着色用治具雌部
３  瞳孔部着色用治具雄部
４  瞳孔部着色用治具雌部
５  虹彩部着色用孔
６  凸部
７  コンタクトレンズ載置部
７’  コンタクトレンズ載置部
８  瞳孔部非着色用器具挿入孔
９  着色剤流入孔
１０  フランジ部
１１  瞳孔部非着色用具止めピン挿入部
１２  ピンチコック固定部
１３  虹彩部着色用孔
１４  凹部
１５  瞳孔部非着色用具挿入孔
１６  着色剤流入孔
１７  フランジ部
１８  瞳孔部非着色用具止めピン挿入部
１９  ピンチコック固定部
２０  コンタクトレンズ
２１  雄部用瞳孔部非着色用具
２２  雄部用瞳孔部非着色用具止めピン
２３  雌部用瞳孔部非着色用具
２４  雌部用瞳孔部非着色用具止めピン
２９  凸部
３０  フランジ部
３１  ピンチコック固定部
３２  凹部
３３  瞳孔部着色剤流入孔
３４  フランジ部
３５  ピンチコック固定部
３６  着色虹彩部
３７  非着色周辺部
３８  非着色瞳孔部
３９  着色瞳孔部
Ａ  コンタクトレンズ載置部直径
Ａ’コンタクトレンズ載置部直径
Ｂ  虹彩着色孔径
Ｂ’虹彩着色孔径
Ｃ  瞳孔部非着色用具直径
Ｄ  凸部幅
Ｄ’凹部幅
Ｅ  雄部瞳孔部非着色用具長さ
Ｆ  雌部瞳孔部非着色用具長さ
Ｇ  コンタクトレンズ直径
Ｈ  瞳孔部着色剤流入孔径
【図１Ａ】
2015049304.tif 000004
【図１Ｂ】
2015049304.tif 000005
【図１Ｃ】
2015049304.tif 000006
【図２Ａ】
2015049304.tif 000007
【図２Ｂ】
2015049304.tif 000008
【図２Ｃ】
2015049304.tif 000009
【図３Ａ】
2015049304.tif 000010
【図３Ｂ】
2015049304.tif 000011
【図４Ａ】
2015049304.tif 000012
【図４Ｂ】
2015049304.tif 000013
【図５】
2015049304.tif 000014
【図６】
2015049304.tif 000015
【図７】
2015049304.tif 000016
【図８】
2015049304.tif 000017
【図９】
2015049304.tif 000018
【図１０】
2015049304.tif 000019
【図１１】
2015049304.tif 000020
【図１２Ａ】
2015049304.tif 000021
【図１２Ｂ】
2015049304.tif 000022
【図１３】
2015049304.tif 000023
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
雄部及び雌部からなる虹彩部着色用治具であって、
前記雄部及び前記雌部はそれぞれコンタクトレンズを挟み込むための凸部及び凹部並びにフランジ部を備え、
前記凸部及び前記凹部の少なくとも一方に虹彩部着色用孔を備え、及び
前記虹彩部着色用孔は少なくとも１以上の着色剤流入孔を備える、前記治具。
【請求項２】
前記虹彩部着色用孔は、前記凸部及び前記凹部の両方に備えられる、請求項１に記載の治具。
【請求項３】
前記虹彩部着色用治具が、さらに前記虹彩部着色用孔に瞳孔部非着色用具挿入孔を備える請求項１又は２に記載の治具。
【請求項４】
着色虹彩部を有するコンタクトレンズを製造する方法であって、
請求項１〜３のいずれか１項に記載の虹彩部着色用治具に載置したコンタクトレンズと着色剤とを接触させて虹彩部着色後コンタクトレンズを得る工程、及び
前記虹彩部着色後コンタクトレンズと固着剤とを接触させて着色虹彩部を有するコンタクトレンズを得る工程
を含む、前記方法。
【請求項５】
着色虹彩部及び着色瞳孔部を有するコンタクトレンズを製造する方法であって、
請求項４に記載の方法により得た着色虹彩部を有するコンタクトレンズを、瞳孔部を着色することにより着色虹彩部及び着色瞳孔部を有するコンタクトレンズを得る工程；又は
着色瞳孔部を有するコンタクトレンズを、請求項４に記載の方法に供することにより着色虹彩部及び着色瞳孔部を有するコンタクトレンズを得る工程
を含む、前記方法。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
嵌め合わせられる雄部及び雌部からなる虹彩部着色用治具であって、
前記雄部及び前記雌部はそれぞれコンタクトレンズを挟み込むための凸部及び凹部並びにフランジ部を備え、
前記凸部及び前記凹部の少なくとも一方に虹彩部着色用孔を備え、及び
前記虹彩部着色用孔は少なくとも１以上の着色剤流入孔を備える、前記治具。
【請求項２】
前記虹彩部着色用孔は、前記凸部及び前記凹部の両方に備えられる、請求項１に記載の治具。
【請求項３】
前記虹彩部着色用治具が、さらに前記虹彩部着色用孔に瞳孔部非着色用具挿入孔を備える請求項１又は２に記載の治具。
【請求項４】
着色虹彩部を有するコンタクトレンズを製造する方法であって、
請求項１〜３のいずれか１項に記載の虹彩部着色用治具に載置したコンタクトレンズと着色剤とを接触させて虹彩部着色後コンタクトレンズを得る工程、及び
前記虹彩部着色後コンタクトレンズと固着剤とを接触させて着色虹彩部を有するコンタクトレンズを得る工程
を含む、前記方法。
【請求項５】
着色虹彩部及び着色瞳孔部を有するコンタクトレンズを製造する方法であって、
請求項４に記載の方法により得た着色虹彩部を有するコンタクトレンズを、瞳孔部を着色することにより着色虹彩部及び着色瞳孔部を有するコンタクトレンズを得る工程；又は
着色瞳孔部を有するコンタクトレンズを、請求項４に記載の方法に供することにより着色虹彩部及び着色瞳孔部を有するコンタクトレンズを得る工程
を含む、前記方法。